(57)【要約】【課題】カバーと本体の固定状態解除の際にスイッチ破損なく、適切に解除を行う。【解決手段】ツマミ４９はユニットケース３０の穴４５において、ホームポジションにある。ツマミ４９が突出した場合のホームポジションＨＰから固定解除の際に移動する方向（矢印Ｂ方向）への可動範囲Ｌｂが、ホームポジションから固定の際に上記方向（矢印Ｂ方向）とは逆方向（矢印Ａ方向）への可動範囲Ｌａよりも大きくなる位置がホームポジションとなるようにされている。可動範囲Ｌｂが大きくとられているので、ツマミ４９が移動するに従って回転軸である吊下部５４付近を中心に回転してユニットケース３０内に退避する。【選択図】図５
2008192332.tif 000002
【特許請求の範囲】
【請求項１】
蓄電池と；
商用電源の供給を受けて蓄電池の充電を行うための充電回路と；
蓄電池から電力が供給された場合に点灯する光源と；
商用電源が遮断された場合に、蓄電池から電力を光源に供給する点灯回路と；
商用電源の非遮断時に、蓄電池の充電に代えて、蓄電池から電力を光源に供給させる制御を点灯回路に行わせるためのスイッチと；
充電回路、点灯回路及びスイッチを内蔵するケースと；
ケースと蓄電池が配設される本体と；
ケースから自重により重力方向へ突出するように構成され、操作によりスイッチをオンオフするための操作片と；
ケースにおける操作片側から本体を覆うように一方向への回動により取り付けられると共に上記方向とは逆方向への回動により固定解除され、操作片の位置に対応する穴部が形成されたカバーと；
ケースから自重により操作片を突出させると共に、操作片が突出した場合のホームポジションから固定解除の際に移動する一方向への可動範囲が、ホームポジションから固定の際とは逆方向への可動範囲よりも大きくなる位置をホームポジションとなるようにケースに形成された穴と；
を具備することを特徴とする非常用照明器具。
【請求項２】
カバーと本体との固定状態を解除する回動の場合に、カバーにおける穴部の端部が操作片の可動範囲を超えて操作片を押圧する前に、回動を停止させるストッパを具備することを特徴とする請求項１に記載の非常用照明器具。
【請求項３】
点灯回路は、操作片の操作によりスイッチが所定のシーケンスでオンオフされたことを検出すると、点検モードで規定されている所定時間の光源点灯とその後の充電池の充電とを行わせることを特徴とする請求項１または請求項２に記載の非常用照明器具。
【発明の詳細な説明】
【技術分野】
【０００１】
この発明は、商用電源が遮断された場合に、蓄電池駆動により点灯して所要箇所の照明を行う非常用照明器具に関するものである。
【背景技術】
【０００２】
従来、この種の非常用照明器具としては特許文献１に記載されたものを挙げることができる。この特許文献１には、本体に電池と非常灯ブロックを備える非常灯が開示されている。
【０００３】
特許文献１に記載の非常灯は、下方に引くことによりマイクロスイッチを作動させる操作板を備えており、本体の下方に本体の下方を覆うセードを配置すると共にセードを周方向に回転させることによりセードを本体に係止させて取り付けるようになっている。また、セードを本体に取り付けた状態において、操作板に対応するように設けた挿通孔に操作板の自重で挿通して、操作板がセードの下方に垂下するようにされている。
【特許文献１】実用新案登録公報第２５７４３８２号公報（図１、図３及びそれらの説明）
【発明の開示】
【発明が解決しようとする課題】
【０００４】
しかしながら、セードと本体の係止状態を解除する際には、セードを固定の場合とは逆に周方向に回転させることになる。このセードの回転を行うと、挿通孔からセードの下方へ垂下している操作板の側部を挿通孔の一端縁が回転方向へ押圧し、操作板が挿通孔に挟まってしまうことが懸念される。このように操作板が挿通孔に挟まってしまうと、操作板が破損するばかりか、応力がマイクロスイッチに伝播してマイクロスイッチが破損することも考えられる。
【０００５】
本発明は上記のような従来の非常用照明器具におけるカバーと本体の固定状態解除の際の問題点を解決せんとしてなされたもので、その目的は、カバーと本体の固定状態解除において点検を行わせるためのスイッチなどが破損することなく、適切に解除を行うことが可能な非常用照明器具を提供することである。
【課題を解決するための手段】
【０００６】
本発明に係る非常用照明器具は、蓄電池と；商用電源の供給を受けて蓄電池の充電を行うための充電回路と；蓄電池から電力が供給された場合に点灯する光源と；商用電源が遮断された場合に、蓄電池から電力を光源に供給する点灯回路と；商用電源の非遮断時に、蓄電池の充電に代えて、蓄電池から電力を光源に供給させる制御を点灯回路に行わせるためのスイッチと；充電回路、点灯回路及びスイッチを内蔵するケースと；ケースと蓄電池が配設される本体と；ケースから自重により重力方向へ突出するように構成され、操作によりスイッチをオンオフするための操作片と；ケースにおける操作片側から本体を覆うように一方向への回動により取り付けられると共に上記方向とは逆方向への回動により固定解除され、操作片の位置に対応する穴部が形成されたカバーと；ケースから自重により操作片を突出させると共に、操作片が突出した場合のホームポジションから固定解除の際に移動する一方向への可動範囲が、ホームポジションから固定の際とは逆方向への可動範囲よりも大きくなる位置をホームポジションとなるようにケースに形成された穴と；を具備することを特徴とする。
【０００７】
本体は、天井などの取付面から突出した状態に取り付けられ、または突出しない状態に取り付けられる。操作片は、ツマミやレバーなどと称され、手により操作される。操作片の操作に応じた商用電源の非遮断時における蓄電池から光源への電力供給を行う点灯回路の動作は、必要時の点検を可能とする。操作片の操作以外に、有線通信による指示により、また、リモコンからの無線通信による指示により、点灯回路が蓄電池から光源への電力供給を行うことを許容する。ホームポジションは、本体を天井などの取付面に取り付けたときにケースから自重により操作片が突出する位置を意味する。光源は、ハロゲン電球やＬＥＤなどを許容する。
【０００８】
本発明に係る非常用照明器具では、カバーと本体との固定状態を解除する回動の場合に、カバーにおける穴部の端部が操作片の可動範囲を超えて操作片を押圧する前に、回動を停止させるストッパを具備することを特徴とする。
【０００９】
本発明に係る非常用照明器具では、点灯回路は、操作片の操作によりスイッチが所定のシーケンスでオンオフされたことを検出すると、点検モードで規定されている所定時間の光源点灯とその後の充電池の充電とを行わせることを特徴とする。
【発明の効果】
【００１０】
本発明に係る非常用照明器具は、ケースに形成された穴から自重により操作片が突出し、この穴において、操作片が突出した場合のホームポジションから固定解除の際に移動する一方向への可動範囲が、ホームポジションから固定の際とは逆方向への可動範囲よりも大きくなる位置をホームポジションとなるようにされているので、カバーを固定解除の方向へ回動した場合に、カバーに形成された穴部が移動して操作片に当接し操作片を移動させるが、この可動範囲が大きくとられているので、操作片が移動するに従って回転軸を中心に回転してケース内側に退避するようになり、操作片がカバーに形成された穴部に挟まる不具合を避けることができる。このため操作片やスイッチが破損することなく、適切にカバーを解除することが可能である。
【００１１】
本発明に係る非常用照明器具は、カバーと本体との固定状態を解除する回動の場合に、カバーにおける穴部の端部が操作片の可動範囲を超えて操作片を押圧する前に、回動を停止させるストッパを具備するので、操作片の可動範囲を超えて操作片が押圧されることなく、操作片やスイッチの破損を適切に防止可能である。
【００１２】
本発明に係る非常用照明器具では、点灯回路が、操作片の操作によりスイッチが所定のシーケンスでオンオフされたことを検出すると、点検モードで規定されている所定時間の光源点灯とその後の充電池の充電とを行わせるので、操作片を操作し続けることなく所定時間の光源点灯とその後の充電池の充電が行われ、便利である。
【発明を実施するための最良の形態】
【００１３】
以下、添付図面を参照して本発明に係る非常用照明器具の実施例を説明する。各図において、同一の構成要素には同一の符号を付して重複する説明を省略する。実施例に係る非常用照明器具は、図１に示すように、有底筒状の容器である本体１０には、蓄電池ボックス２０、ユニットケース３０が配設されている。
【００１４】
蓄電池ボックス２０は、平面形状がほぼＵ字状である。ユニットケース３０は、蓄電池ボックス２０が収納される本体１０のスペースを除くスペースに配置され、中央部に向かって反射板４１の形状に対応して放物面に近い傾斜面を有し、中央部にはランプソケット４３（図３）が埋設されている。
【００１５】
反射板４１は、上記ユニットケース３０と蓄電池ボックス２０により本体１０の内側中央部に形成される穴部４２へ配置される。ランプソケット４３には、光源であるハロゲンランプ等のランプ４４が嵌合される。
【００１６】
ユニットケース３０には、図３に示されるような回路などが収納されている。本体１０に設けられているＡＣコネクタ１１を介して交流電源（ＡＣ１００Ｖ）に接続され、蓄電池ボックス２０内の蓄電池２１を充電する充電回路３１、蓄電池２１の電力に基づきランプ４４を点灯させると共に点検等の各種場合に制御を行う点灯回路３３、点灯回路３３がリモコンと通信を行うためのリモコンモジュール３５、点灯回路３３が有線ラインにより主操作盤などと通信を行うための有線通信コネクタ３４が備えられている。
【００１７】
また、点灯回路３３には、マイクロスイッチ４６が接続されていると共に、充電モニタ用ＬＥＤ４７とランプモニタ用ＬＥＤ４８とが接続されている。マイクロスイッチ４６は、図４に示されるように、ユニットケース３０の穴４５から重力方向へ突出した操作片であるツマミ４９の操作によりオンオフされる。
【００１８】
マイクロスイッチ４６及びツマミ４９の部分に係る構成を図４、図５に示す。マイクロスイッチ４６は充電回路３１等が実装されたプリント基板５１に実装されており、表面側にボタン部５２が設けられており、ボタン部５２の上部にはバネ５３が設けられている。バネ５３は、ボタン部５２の上部からスロープ状に下方へ向かって垂下しており、下方へ向かうに従ってマイクロスイッチ４６の筐体から離れるように構成され、最先端部においてＵ字状にカールした吊下部５４を備えている。
【００１９】
吊下部５４には、ツマミ４９の上部に形成された孔４９ａによりツマミ４９が垂下されており、ツマミ４９の先端がユニットケース３０の穴４５に挿入されている。ツマミ４９の上部に形成された孔４９ａは上下方向に長く形成されており、吊下部５４がこの長い孔４９ａに挿入されているので、ツマミ４９の先端側（下端部）を上側（天井などの方向）へ押すことによりツマミ４９はユニットケース３０内に入り込み、また、ツマミ４９の先端側（下端部）を自由にするとツマミ４９は自重によりユニットケース３０の穴４５から垂下った状態となる。ツマミ４９が垂下った状態においてツマミ４９を引っ張ることにより、バネ５３が直線状に伸びて、バネ５３の一部がボタン部５２に触れてマイクロスイッチ４６をオンとする。また、ツマミ４９を引っ張った状態から解除することにより、バネ５３の形状が復旧すると共にバネの一部がボタン部５２から離れて、マイクロスイッチ４６がオフとなる。穴４５におけるユニットケース３０内の周囲には、ツマミ４９が上下方向へ動作した場合に外れを防止する枠４５ａが設けられている。
【００２０】
本体１０の開口側からは、有底筒状のカバー６０が被せられる。図１に示されるように、カバー６０の表面中央部には、ランプ４４の照射光が射出する穴６１が形成され、また表面には、充電モニタ用ＬＥＤ４７、ランプモニタ用ＬＥＤ４８、ツマミ４９、リモコンモジュール３５にそれぞれ対応する位置に穴６４、６５、６６、６７が形成されている。
【００２１】
図６に示すように、カバー６０の内壁部には係合爪６３、６３が直径による対向位置に設けられている。図１０や図２に示されるように、本体１０の側部には、係合爪６３、６３に対応する位置に逆Ｌ字状の係合溝１２、１２が形成されており、係合爪６３、６３は逆Ｕ字状であり、係合溝１２、１２の横方向に延びている部分の下縁１２ａを挟み込みながら摺動するように構成されている。このため、カバー６０を本体１０に被せて結合・固定する場合には、図１０に示すように本体１０のマークＭとカバー６０のマークＭを位置合わせして係合爪６３、６３を係合溝１２、１２の始端口に合うようにし、カバー６０を本体１０側（天井側）へ押し付け、カバー６０の表面部が本体の開口縁部に当接してカバー６０が本体１０側（天井側）へ移動できなくなったときに、カバー６０を固定方向（図１および図１０の矢印Ａ方向）へ回転させる。
【００２２】
上記におけるカバー６０の取り付け作業において、カバー６０を本体１０に被せてカバー６０を本体１０側（天井側）へ押し付けるときには、ツマミ４９は対応するユニットケース３０の穴部６６の近くにおいてカバー６０の表面部に押し付けられ、ユニットケース３０の穴４５からユニットケース３０内に入り込んだ状態となっている。カバー６０を固定方向（図１および図１０の矢印Ａ方向）へ回転させると、ユニットケース３０の穴４５及びカバー６０の穴部６６の位置が重なるようになり、これらの穴からツマミ４９が突出し、回転に応じてツマミ４９は自重でカバー６０の穴部６６から外部へ突出した状態となる。更にカバー６０を固定方向（図１および図１０の矢印Ａ方向）へ回転させると、係合爪６３、６３が係合溝１２、１２の終端に突き当たり、回転が不能となる。このとき、ユニットケース３０の穴４５とカバー６０の穴部６６が対応した状態に位置付けられ図７に示す状態を呈する。
【００２３】
上記の取り付け完了のときに、ツマミ４９はユニットケース３０の穴４５において、ホームポジションにある。ここで図５に示すように、ツマミ４９が突出した場合のホームポジションＨＰから固定解除の際に移動する方向（矢印Ｂ方向）への可動範囲Ｌｂが、ホームポジションＨＰから固定の際に上記方向（矢印Ｂ方向）とは逆方向（矢印Ａ方向）への可動範囲Ｌａよりも大きくなる位置がホームポジションＨＰとなるようにされている。つまり、ツマミ４９はユニットケース３０の穴４５において中央位置ではなく、固定解除の側（図５の右側）へ偏在して位置付けられている。
【００２４】
カバー６０を固定解除する場合には、図１および図１０の矢印Ｂ方向へカバー６０を回転させる。このとき、カバー６０に形成された穴部６６が移動してツマミ４９に当接しツマミ４９を移動させるが、この可動範囲が大きくとられているので、図１１に示すようにツマミ４９が移動するに従って回転軸である吊下部５４付近を回転中心に回転してユニットケース３０内側に退避するようになり、ツマミ４９がカバー６０の穴部６６に挟まる不具合を避けることができる。
【００２５】
更に、カバー６０を固定解除方向である矢印Ｂ方向へ回転させると、係合爪６３、６３が係合溝１２、１２の角部近傍の側縁部１２ｂに突き当たり、回転が停止される。この停止位置は、カバー６０における穴部６６の端部がツマミ４９の可動範囲Ｌｂを超えてツマミ４９を押圧する前の位置であり、係合溝１２、１２の角部近傍の側縁部１２ｂは、ストッパを構成する。
【００２６】
以上の通りに構成された非常用照明器具においては、本体１０にユニットケース３０と蓄電池ボックス２０とを収納固定し、反射板４１をユニットケース３０に取り付け、ランプソケット４３にランプ４４を嵌合する。この状態の本体１０に対して、カバー６０を既に説明した通りに被せて固定し、図７に示すように非常用照明器具を完成する。
【００２７】
本体１０にユニットケース３０と蓄電池ボックス２０とが収納固定されると、コネクタ１１を介して充電回路３１がＡＣ１００Ｖを受けて直流電圧を作成し、蓄電池２１の充電を開始する。また、点灯回路３３はコネクタ１１に到来する商用電源の断を検出し、商用電源が断となった場合には、蓄電池２１の電力を供給する制御を実行してランプ４４を点灯させる。
【００２８】
また、点灯回路３３は図８に示されているフローチャートに示すように、蓄電池２１の電位などにより充電状態を検出し（Ｓ１１）、充電モニタ用ＬＥＤ４７に状態（満充電、未充電など）を継続点灯や点滅などにより表示する（Ｓ１２）。また、ランプ４４に電流を流すなどしてランプ４４について正常やランプ切れ状態を検出し（Ｓ１３）、ランプモニタ用ＬＥＤ４８に状態（正常やランプ切れ状態）を継続点灯や点滅などにより表示する（Ｓ１４）。
【００２９】
点灯回路３３は、上記の動作以外に図９に示されるフローチャートに示す処理を行うものである。即ち、リモコンモジュール３５を介したリモコンよりの指示の有無を検出し（Ｓ２１）、有線通信コネクタ３４を介した主操作盤からの指示の有無を検出し（Ｓ２２）、マイクロスイッチ４６のオンを検出する（Ｓ２３）。ステップＳ２１、Ｓ２２においてＹＥＳとなると、指示は定期点検の指示であるか、または蓄電池２１やランプ４４の状態のモニタ指示であるかを検出する（Ｓ２４）。
【００３０】
ステップＳ２４において定期点検の指示であることを検出すると、蓄電池２１の電力を供給してランプ４４の点灯を予め定められた所定時間行うと共に、その後に点灯を停止して蓄電池２１の充電を開始させ、必要な状態（ランプ４４の点灯状態や蓄電池２１の充電状態）情報をリモコンモジュール３５または有線通信コネクタ３４を介して送信する（Ｓ２５）。
【００３１】
ステップＳ２４において蓄電池２１やランプ４４の状態のモニタ指示であることを検出すると、図８のフローチャートにより検出した状態情報をリモコンモジュール３５または有線通信コネクタ３４を介して送信する（Ｓ２６）。これに対し、主操作盤やリモコンは図３に示すように、制御部７０に、キーなどの操作部７１、ＬＣＤなどの表示部７２、更に通信部（主操作盤対応のものにあっては有線通信部、リモコン対応のものにあっては無線通信部）７３が接続された構成である。制御部７０は通信部７３を介して上記情報を受け取り、表示部７２へ情報の表示を行い、蓄電池２１の状態やランプ４４の状態を遠隔において知ることができ便利である。
【００３２】
一方、ステップＳ２３において、マイクロスイッチ４６がオンとなったことを検出すると、蓄電池２１の電力を供給してランプ４４の点灯を行う（Ｓ２７）。このステップＳ２７に続いて、マイクロスイッチ４６がオフとなったかを検出して（Ｓ２８）、ランプ４４の点灯を停止して蓄電池２１の充電を開始させる（Ｓ２９）。次に、マイクロスイッチ４６のオンオフが所定のパターンで行われたかを検出する（Ｓ３０）。ここに、所定のパターンとは例えば、オンオフが所定時間（例えば５秒間）内に所定回（例えば、５回）繰り返されるような場合である。
【００３３】
上記のような所定パターンのオンオフをステップＳ３０において検出できなければステップＳ２１へ戻る。このようなステップＳ２７、Ｓ２８、Ｓ２９の処理により、ツマミ４９が引っ張られている場合に限りランプ４４の点灯が行われるので、点検者による所望の手動確認を可能とする。一方、ステップＳ３０において、上記のような所定パターンのオンオフをステップＳ２８において検出すると、蓄電池２１の電力を供給してランプ４４の点灯を予め定められた所定時間行う（Ｓ３１）と共に、その後に点灯を停止して蓄電池２１の充電を実行する制御へ復旧する（Ｓ３２）。これにより、点検者によるツマミ４９の所定操作により所定パターンでマイクロスイッチ４６のオンオフを生じさせ、所定時間の継続点灯という定期点検を実現することができ便利である。
【図面の簡単な説明】
【００３４】
【図１】本発明に係る非常用照明器具の実施例を示す組み立て斜視図。
【図２】本発明に係る非常用照明器具の実施例における本体に対し、ユニットケースが内蔵されない状態を示す斜視図。
【図３】本発明に係る非常用照明器具の実施例における回路構成を示すブロック図。
【図４】本発明に係る非常用照明器具の実施例におけるマイクロスイッチとツマミに関する構成を示す断面図。
【図５】本発明に係る非常用照明器具の実施例におけるツマミの移動に関する構成を示す断面図。
【図６】本発明に係る非常用照明器具の実施例におけるカバーの内部を示す斜視図。
【図７】本発明に係る非常用照明器具の実施例の示す組み立て完了状態の斜視図。
【図８】本発明に係る非常用照明器具の実施例による動作を説明するためのフローチャート。
【図９】本発明に係る非常用照明器具の実施例による動作を説明するためのフローチャート。
【図１０】本発明に係る非常用照明器具の実施例におけるカバー取り付け及び取り外しを説明するための斜視図。
【図１１】本発明に係る非常用照明器具の実施例において、カバーを解除方向へ回転させた場合におけるツマミの移動に関する構成を示す断面図。
【符号の説明】
【００３５】
１０  本体
１１  ＡＣコネクタ
１２  係合溝
２０  蓄電池ボックス
２１  蓄電池
３０  ユニットケース
３１  充電回路
３３  点灯回路
３４  有線通信コネクタ
３５  リモコンモジュール
４１  反射板
４３  ランプソケット
４４  ランプ
４５  穴
４６  マイクロスイッチ
４７  充電モニタ用ＬＥＤ
４８  ランプモニタ用ＬＥＤ
４９  ツマミ
６０  カバー
６３  係合爪
【図１】
2008192332.tif 000003
【図２】
2008192332.tif 000004
【図３】
2008192332.tif 000005
【図４】
2008192332.tif 000006
【図５】
2008192332.tif 000007
【図６】
2008192332.tif 000008
【図７】
2008192332.tif 000009
【図８】
2008192332.tif 000010
【図９】
2008192332.tif 000011
【図１０】
2008192332.tif 000012
【図１１】
2008192332.tif 000013